(57)【要約】【課題】貯湯式温水器の貯湯熱を効率よく利用して、浴槽水の追い焚き、保温、廃熱利用を行う温水器を提供する。【解決手段】貯湯タンク７と、前記貯湯タンク７上部より水を加熱していくヒーター８と、前記貯湯タンク７の下部と上部を連通する連通路１３ａと、前記連通路１３ａを流れる湯水の方向を切り替える四方弁９と、前記連通路１３ａを流れる湯水と熱交換する水熱交換器１０と、前記連通路１３ａと前記貯湯タンク７中間部をバイパス回路１３ｂを介して接続する三方弁１１と、前記連通路１３ａに湯水を供給する沸き上げポンプ１２と、前記沸き上げポンプ１２およびヒーター８を制御する加熱制御手段１５と、浴槽水循環ポンプ１７により浴槽水を循環して前記水熱交換器１０で熱交換を行う浴槽水循環回路２３、２４とを備えた構成としてある。【選択図】  図１
2004257692.tif 000002
【特許請求の範囲】
【請求項１】
貯湯タンクと、前記貯湯タンク上部より水を加熱していくヒーターと、前記貯湯タンクの下部と上部を連通する連通路と、前記連通路を流れる湯水の方向を切り替える四方弁と、前記連通路を流れる湯水と熱交換する水熱交換器と、前記連通路と前記貯湯タンク中間部をバイパス回路を介して接続する三方弁と、前記連通路に湯水を供給する沸き上げポンプと、前記沸き上げポンプおよびヒーターを制御する加熱制御手段と、浴槽水循環ポンプにより浴槽水を循環して前記水熱交換器で熱交換を行う浴槽水循環回路とを備えた温水器。
【請求項２】
貯湯タンク上部に湯温検知センサーを設け、前記湯温検知センサーの検出温度に基づき沸き上げ運転の要求があったとき、貯湯タンク下部から上部に向かって連通路内を水が流れるように四方弁及び三方弁を切り替え、沸き上げポンプ及びヒータを駆動して沸き上げ運転を行う加熱制御手段を設けた請求項１記載の温水器。
【請求項３】
浴槽水の温度を検出する浴槽水温センサーを設け、前記浴槽水温センサーの検知温度に基づき浴槽追い焚き運転の要求があったとき、貯湯タンク上部から下部に向かって連通路内を湯が流れるように四方弁及び三方弁を切り替え、沸き上げポンプ及び浴槽水循環ポンプを駆動して水熱交換器を介して浴槽追い焚き運転を行う浴槽湯温制御手段を備えた請求項１記載の温水器。
【請求項４】
貯湯タンク上部、中間部に第１残湯温センサー、第２残湯温センサーを設け、前記第１、第２残湯温センサーの検知温度に基づき浴槽追い焚き運転の要求があったとき、バイパス回路と連通路が連通するように３方弁を切り替え、沸き上げポンプ及び浴槽水循環ポンプを駆動して貯湯タンク中間部より水熱交換器に温を供給して浴槽追い焚き運転を行う浴槽湯温制御手段を備えた請求項１記載の温水器。
【請求項５】
浴槽水の温度を検出する浴槽水温センサーと、貯湯タンク下部の温度を検出する第３残湯温センサーを設け、浴槽水温センサーの検知温度と第３残湯温センサーの検知温度に基づき浴槽水廃熱回収運転の要求があったとき、貯湯タンク下部から上部に向かって連通路内を水が流れバイパス回路より貯湯タンク内に戻るように四方弁及び三方弁を切り替え、沸き上げポンプ及び浴槽水循環ポンプを駆動して水熱交換器を介して浴槽の廃熱回収を行う廃熱回収制御手段を備えた請求項１記載の温水器。
【発明の詳細な説明】
【０００１】
【発明の属する技術分野】
本発明は貯湯タンクの貯湯熱を利用して浴槽の加熱が可能な温水器に関するものである。
【０００２】
【従来の技術】
従来の構成を図３を用いて説明すると、上部と下部にヒーター２、３を有する貯湯タンク１を備え、この貯湯タンク１の上部に熱交換器４を設けると共に、前記熱交換器４と浴槽５間に循環路６を設け、この循環路６内に浴槽水を循環させることで、熱交換器４を介して貯湯タンク１の高温水と熱交換し、浴槽５の追い焚きや保温をするようしている（特許文献１参照）。
【０００３】
このような貯湯タンク１の熱を利用して浴槽水の追い焚きを行う構成では、貯湯タンク１上部に設けた熱交換器４で貯湯タンク１内の熱を奪うため、貯湯タンク１内に湯が多い場合には、湯の温度が均一に低下する。また追い焚き回数を重ねるごとに貯湯タンク１内の湯温が徐々に低下する。貯湯タンク１内の湯は蛇口やシャワー等に使用されるため、浴槽５の追い焚きを頻繁に行い貯湯タンク１内の湯温が低下した状態においては、蛇口、シャワー等から出る湯温が低く使用感を損ねる問題があった。
【０００４】
そこで、浴槽水が循環路６内を循環している時に、貯湯タンク１内の湯温の低下を抑えるために、貯湯タンク１内の上部ヒーター２に通電するようにしている。
【０００５】
また、熱交換する前に貯湯タンク１上部の湯温を検知しておき、熱交換後に上部ヒーター２に通電して、貯湯タンク１上部の湯温を元の温度に戻すようにしている。
【０００６】
しかし、上部ヒーター２の貯湯タンク１への取り付け位置が固定され、ヒーター量に制限があるため、たとえばヒーター２で加熱する貯湯タンク１の容量が大きい場合（ヒーター２が貯湯タンク１の低い位置に設けられている場合）は素早く湯温を元の温度に戻せないために、追い焚きに時間がかかる。
【０００７】
またヒーター２で加熱する貯湯タンク１の容量が小さい場合（ヒーター２が貯湯タンク１の高い位置に設けられている場合）は湯温の上昇は早いが追いだきによる温度低下も早く、浴槽水の温度が冷えきっている場合に追いだきができなくなってしまう問題があった。
【０００８】
さらに、入浴後、浴槽水の温度が高い場合においては、浴槽水を捨ててしまうのみで、浴槽水の熱の再利用ができず、省エネ性を損なう等の問題もあった。
【０００９】
本発明は、上記従来の問題を解決するもので、貯湯式温水器の貯湯熱を効率よく利用して、浴槽水の追い焚き、保温、廃熱利用を行う温水器を提供することを目的とする。
【００１０】
【特許文献１】
特開平１１−８３１５６号公報
【００１１】
【課題を解決するための手段】
本発明は上記課題を解決するために、貯湯タンクと、前記貯湯タンク上部より水を加熱していくヒーターと、前記貯湯タンクの下部と上部を連通する連通路と、前記連通路を流れる湯水の方向を切り替える四方弁と、前記連通路を流れる湯水と熱交換する水熱交換器と、前記連通路と前記貯湯タンク中間部をバイパス回路を介して接続する三方弁と、前記連通路に湯水を供給する沸き上げポンプと、前記沸き上げポンプおよびヒーターを制御する加熱制御手段と、浴槽水循環ポンプにより浴槽水を循環して前記水熱交換器で熱交換を行う浴槽水循環回路とを備えた構成としてある。
【００１２】
上記発明によれば、４方弁で沸き上げポンプの循環方向を、貯湯タンク上部より湯を取り出し水熱交換器に湯を流入させる方向と、貯湯タンク下部より水を取り出し水熱交換器を介して貯湯タンク上部へ流入させる方向の２方向の切り換えを行うことにより、１つの温水経路で、貯湯タンクの上部から順次温水を貯める積層沸き上げ運転と、貯湯した温水を上部より取り出し水熱交換器による浴槽の追い焚き運転ができるので、貯湯タンクの温度成層を崩すことが少なく、浴槽の追い焚きによる貯湯タンクの湯温低下を抑え、シャワーや浴槽への湯張りの湯温が確保できる。
【００１３】
さらに、上記構成において、貯湯タンクに残湯温センサー、浴槽水の温度を検出する浴槽水温センサーを設けると、前記残湯温センサーの検出湯温によって、前記３方弁を切り換え、貯湯タンクからの湯の取り出しを上部またはバイパス回路を介して中間部からの取り出しの２方向の選択が可能となり、沸き上げポンプ、水熱交換器、浴槽循環ポンプを用いて、貯湯タンク内の湯を有効に利用して浴槽の追い焚きを行うことができる。
【００１４】
また、前記浴槽湯温センサーと残湯温センサーの検出温度により、前記３方弁を切り換え、沸き上げポンプ、水熱交換器および浴槽循環ポンプにより浴槽湯の残熱を効率よく貯湯タンクに回収することができる。
【００１５】
【発明の実施の形態】
請求項１に記載の発明は、貯湯タンクと、前記貯湯タンク上部より水を加熱していくヒーターと、前記貯湯タンクの下部と上部を連通する連通路と、前記連通路を流れる湯水の方向を切り替える四方弁と、前記連通路を流れる湯水と熱交換する水熱交換器と、前記連通路と前記貯湯タンク中間部をバイパス回路を介して接続する三方弁と、前記連通路に湯水を供給する沸き上げポンプと、前記沸き上げポンプおよびヒーターを制御する加熱制御手段と、浴槽水循環ポンプにより浴槽水を循環して前記水熱交換器で熱交換を行う浴槽水循環回路を備えた構成としことを特徴とするものである。
【００１６】
そして、４方弁で沸き上げポンプの循環方向を、貯湯タンク上部より湯を取り出し水熱交換器に湯を流入させる方向と、貯湯タンク下部より水を取り出し水熱交換器を介して貯湯タンク上部へ流入させる方向の２方向の切り換えを行うことにより、貯湯タンクの上部から順次温水を貯めることができ、貯湯した温水を上部より取り出し浴槽の追い焚きができるので、貯湯タンクの温度成層を崩すことが少なく、浴槽の追い焚きによる貯湯タンクの湯温低下を抑え、シャワーや浴槽への湯張りの湯温が確保できる。
【００１７】
請求項２に記載の発明は、貯湯タンク上部に湯温検知センサーを設け、前記湯温検知センサーの検出温度に基づき沸き上げ運転の要求があったとき、貯湯タンク下部から上部に向かって連通路内を水が流れるように四方弁及び三方弁を切り替え、沸き上げポンプ及びヒータを駆動して沸き上げ運転を行う加熱制御手段を設けたことを特徴とするものである。
【００１８】
そして、貯湯タンクの水を温水化する時には浴槽側に熱を与えないようにして、貯湯タンク上部より湯温を下げることなく、素早く効率的に温水を順次貯湯することができる。
【００１９】
請求項３に記載の発明は、浴槽水の温度を検出する浴槽水温センサーを設け、前記浴槽水温センサーの検知温度に基づき浴槽追い焚き運転の要求があったとき、貯湯タンク上部から下部に向かって連通路内を湯が流れるように四方弁及び三方弁を切り替え、沸き上げポンプ及び浴槽水循環ポンプを駆動して水熱交換器を介して浴槽追い焚き運転を行う浴槽湯温制御手段を備えたことを特徴とするものである。
【００２０】
これにより、浴槽水温センサーで検出した浴槽湯温が低下したときは、貯湯タンク上部の高温湯を水熱交換器に流入させ、浴槽の追い焚きを早く行う共に、追い焚きで低下した貯湯タンク内の湯を貯湯タンク下部に戻し、貯湯タンク内全体の湯温が低下しないようにして、シャワーや浴槽への湯張りの湯温が確保できる。
【００２１】
請求項４に記載の発明は、貯湯タンク上部、中間部に第１残湯温センサー、第２残湯温センサーを設け、前記第１、第２残湯温センサーの検知温度に基づき浴槽追い焚き運転の要求があったとき、バイパス回路と連通路が連通するように３方弁を切り替え、沸き上げポンプ及び浴槽水循環ポンプを駆動して貯湯タンク中間部より水熱交換器に温を供給して浴槽追い焚き運転を行う浴槽湯温制御手段を備えたことを特徴とするものである。
【００２２】
これにより、浴槽の加熱、追い焚き時、貯湯タンクに湯が多量に残っている場合、すなわち第２残湯温センサーの温度が所定値以上であれば、３方弁を切り換えてバイパス回路から貯湯タンク中間部の湯を取り出し、浴槽の加熱、追い焚きに使用することにより、貯湯タンク上部に高温の湯を残すことができ、シャワーや浴槽湯張りの湯温を確保できる。
【００２３】
請求項５の発明は、浴槽水の温度を検出する浴槽水温センサーと、貯湯タンク下部の温度を検出する第３残湯温センサーを設け、浴槽水温センサーの検知温度と第３残湯温センサーの検知温度に基づき浴槽水廃熱回収運転の要求があったとき、貯湯タンク下部から上部に向かって連通路内を水が流れバイパス回路より貯湯タンク内に戻るように四方弁及び三方弁を切り替え、沸き上げポンプ及び浴槽水循環ポンプを駆動して水熱交換器を介して浴槽の廃熱回収を行う廃熱回収制御手段を備えたことを特徴とするものである。
【００２４】
これにより、貯湯タンク上部の残湯を冷ますことなく、浴槽湯の残熱を効率よく貯湯タンクに回収することができるとともに、ヒーターの通電時間が削減でき、より省エネ化を図ることができる。
【００２５】
【実施例】
以下本発明の実施例について、図面を参照しながら説明する。
【００２６】
図１は本発明の温水器の構成図を示すものである。
【００２７】
本実施例は一般家庭用の温水器で、主に割安な深夜電力を利用して給湯の湯を貯湯するもので、貯湯タンク７と、この貯湯タンク７の上部に設けた水を加熱するヒーター８と、貯湯タンク７内の水を下部より取り出し、この水を四方弁９、水熱交換器１０、三方弁１１を介して貯湯タンク７上部に導く連通路１３ａと、この連通路１３ａに貯湯タンク７の湯水を供給する沸き上げポンプ１２と、前記三方弁１１から貯湯タンク７の中間部を結ぶバイパス回路１３ｂと、前記沸き上げポンプ１２およびヒーター８を制御し前記貯湯タンク７内に高温と低温の温度成層１４を形成させる加熱制御手段１５と、貯湯タンク７上部の湯を前記水熱交換器１０へ循環して吸熱し水熱交換器１０の熱を浴槽１６に供給する浴槽循環ポンプ１７を主部品として構成している。
【００２８】
また、１８は貯湯タンク７最上部に設けた湯温検知センサーであり、１９、２０は貯湯タンク７の上部より順に壁面に設けた第１残湯センサー、第２残湯センサーであり、それぞれの残湯センサー１９、２０は前記バイパス回路１２の貯湯タンク７接続口２１よりも上部に設けている。２２は前記接続口２１より下部の貯湯タンク７壁面に設けた第３残湯センサーである。
【００２９】
２３は往き管、２４は戻り管で、浴槽１６と水熱交換器１０とをつなぎ浴槽水循環回路を構成し、戻り管２４に浴槽循環ポンプ１７を設けて、浴槽水２５を水熱交換器１０に送り、加熱された浴槽水を浴槽１６に戻すように作用する。
【００３０】
また、２６は、往き管２３、戻り管２４を浴槽１６につなぐ浴槽接続アダプターである。
【００３１】
給湯時は、減圧弁２７で減圧された水道水が貯湯タンク７底部の給水口２８から供給され、貯湯タンク７上部の出湯管２９から出湯される。
【００３２】
３０は、出湯管２９から出湯される湯と給水管３１からの水道水を混合する混合弁で、混合温度を検出する混合温度センサー３２の検出値をフィードバックして、所定の温度に混合して給湯管３３に送出する。給湯管３３は蛇口３４やシャワー（図示せず）に接続される。
【００３３】
３５は、給湯管３３と往き管２３をつなぐ注湯管３６に設けた開閉弁で、浴槽１６に湯張りしたり、差し湯する場合に、この開閉弁３５を開放して行う。
【００３４】
３７は、開閉弁３５と往き管２３の間に設けた逆止弁で浴槽１６側からの湯が給湯管３３へ逆流しないように作用している。
【００３５】
３８は、給湯管３３に取り付けられ、給湯管３３での給湯量を検知する流量センサーであり、前記開閉弁３５が開いて浴槽１６に湯張り中に、蛇口３４が開かれて給湯されると、流量センサー３８で給湯量を検出し、開閉弁３５を閉じ、一時浴槽湯張りを中断する。蛇口３４の給湯が終了すれば、開閉弁３５が開き浴槽１６への湯張りが再開する。
【００３６】
３９は、戻り管２４に取り付けられ浴槽水２５の水位を検知する水位センサーで、４０は浴槽１６近傍に設け、浴槽水２５の温度を検知する浴槽水温センサーである。
【００３７】
４１は、貯湯タンク７の出湯管２９から分岐して取り付けられ、貯湯タンク７の水を温水化する際に膨張する膨張水を逃がし、貯湯タンクの異常な圧力上昇を抑える逃がし弁である。
【００３８】
４２は、第１残湯センサー１９、第２残湯センサー２０、浴槽水温センサー４０の検知温度により４方弁９、３方弁１１を切り換え、沸き上げポンプ１２、浴槽水循環ポンプ１７を制御する浴槽湯温制御手段である。
【００３９】
４３は、第３残湯センサー２０、浴槽水温センサー４０の検知温度により４方弁９、３方弁１１を切り換え、沸き上げポンプ１２、浴槽循環ポンプ１７を制御する風呂の廃熱回収制御手段である。
【００４０】
また、前記加熱制御手段１５は、湯温制御センサー１８、沸き上げポンプ１２およびヒーター８を制御し、前記貯湯タンク７内に高温と低温の温度成層１４を形成させるとともに、４方弁９、３方弁１１の切り換え、浴槽循環ポンプ１７の制御も行う。
【００４１】
次に、前記加熱制御手段１５、浴槽湯温制御手段４２、廃熱回収制御手段４３の詳細な動作について、図１および図２の制御シーケンス図に基づいて説明する。
【００４２】
図２（ａ）において、加熱制御手段１５は貯湯タンク７の水を沸き上げる制御手段であり、まず、沸き上げ運転が開始されると、四方弁９および三方弁１１が沸き上げ側に駆動し、貯湯タンク７の水の流れは図１で示す実線矢印の方向になる。
【００４３】
その時、浴槽循環ポンプ１７は停止しており、浴槽水２５は水熱交換器１０へは流れない。その後、ヒーター８が通電され、ヒーター８上部の水を温水化するが、沸き上げポンプ１２は停止している。
【００４４】
次に、湯温検知センサー１８によりヒーター８上部の湯温ＴＨ１を検出し、目標湯温ＴＨＡと比較する。湯温ＴＨ１が目標湯温ＴＨＡ以下であれば、沸き上げポンプ１２を停止したまま、再度、湯温ＴＨ１を検出する。
【００４５】
湯温ＴＨ１が目標湯温ＴＨＡを越えると、沸き上げポンプ１２を駆動する。沸き上げポンプ１２を駆動すると、貯湯タンク７下部の水が四方弁９を通り、沸き上げポンプ１２に流入し、再度、四方弁９、水熱交換器１０、三方弁１１を経由して貯湯タンク７上部へ流入し、貯湯タンク７上部の湯温が低下する。
【００４６】
その後、再度、湯温ＴＨ１を検出し、沸き上げ完了目標湯温ＴＨＢと比較する。
【００４７】
湯温ＴＨ１が目標湯温ＴＨＢ以下であれば、再度、湯温ＴＨ１を検出し、目標湯温ＴＨＡと比較する。湯温ＴＨ１が目標湯温ＴＨＡ以下であれば、沸き上げポンプ１２を停止する。このようにヒーター８に通電したまま、沸き上げポンプのＯＮ−ＯＦＦ動作により貯湯タンク７上部より温度成層１４（高温湯と水の境界層）を形成しながら、湯温ＴＨＡの湯を順次貯湯していく。
【００４８】
湯温ＴＨＡの湯が貯湯タンク７下部まで達すると、湯温制御センサー１８により検出する湯温ＴＨ１が徐々に上昇する。
【００４９】
検出湯温ＴＨ１が徐々に上昇して、沸き上げ完了目標湯温ＴＨＢに達するとヒーター８および沸き上げポンプ１２が停止して、貯湯タンク７の沸き上げ運転が完了する。
【００５０】
ここで、貯湯タンク７内のヒーター８上部の貯湯容量は小さく、すぐに温水化が可能であるため、湯切れに対しても素早く対応できる。また沸き上げ運転中は浴槽循環ポンプ１７を停止しているため、浴槽１６側に熱を与えないようにして効率的な沸き上げ運転が可能である。
【００５１】
次に、浴槽湯温制御手段４２について説明する。
【００５２】
図２（ｂ）において、浴槽湯温制御手段４２は浴槽１６の保温および、追い焚きを行う制御手段であり、まず浴槽１６に湯張りが完了すると保温運転に入る。
【００５３】
保温運転が開始されると、四方弁９は追い焚き側、三方弁１１が沸き上げ側に駆動し、貯湯タンク７の水の流れおよび浴槽水２５の流れは図１で示す黒矢印の方向になる。
【００５４】
次に保温タイマー（図示せず）が起動し、所定時間になれば浴槽循環ポンプ１７が駆動し、浴槽接続アダプター２６、戻り管２４、浴槽循環ポンプ１７、水熱交換器１０、往き管２３の経路で浴槽水２５を循環させる。この時、浴槽水温センサー４０で浴槽水温ＴＢ１を検出する。
【００５５】
次に、浴槽水目標湯温ＴＢＡと現在の浴槽水温ＴＢ１を比較し、浴槽水温ＴＢ１が目標湯温ＴＢＡより低ければ貯湯タンク７の第１残湯センサー１９、第２残湯センサー２０で貯湯タンク７の湯温を検出する。それぞれ検出した湯温をＴＨ２、ＴＨ３とし、ＴＨ２，ＴＨ３が追い焚き湯温ＴＢＢ以上あるか比較する。検出湯温ＴＨ２が目標追い焚き湯温ＴＢＢ以上あれば、次に検出湯温ＴＨ３とＴＢＢを比較して三方弁１１の方向を決める。ＴＨ３がＴＢＢよりも低ければ三方弁１１は沸き上げ側、すなわち貯湯タンク７上部側に開となり、逆にＴＨ３がＴＢＢよりも高ければバイパス回路１３側に開となる。
【００５６】
次に、沸き上げポンプ１２が駆動する。沸き上げポンプ１２駆動により貯湯タンク７上部部の湯は３方弁１１から水熱交換器１０へ入る。水熱交換器１０で、浴槽循環ポンプ１７で送られた浴槽水２５と熱交換し、温度低下して、四方弁９、沸き上げポンプ１２、再度、四方弁９を通り、貯湯タンク７内へ戻る。
【００５７】
この時、浴槽循環ポンプ１７で水熱交換器１０へ送られた浴槽水２５は温度上昇して往き管２３から浴槽接続アダプター２６を介して浴槽１６へ戻る。
【００５８】
また、前記第２残湯センサー検知温度ＴＨ３が追い焚き湯温ＴＢＢよりも高ければ三方弁１１がバイパス回路１３側に開となり、貯湯タンク７の湯の取り出しがバイパス回路１３を通り（図中斜線矢印）、三方弁１１から水熱交換器１０へ入る回路となる。
【００５９】
上記の循環を繰り返し、浴槽水温ＴＢ１が目標湯温ＴＢＡになれば、沸き上げポンプ１２、浴槽循環ポンプ１７が停止し、保温タイマー起動に戻る。
【００６０】
また、前記第２残湯センサー検知温度ＴＨ３が追い焚き湯温ＴＢＢよりも低い場合は保温運転を終了し、貯湯タンク７の沸き上げ運転に入る。
【００６１】
次に、使用者が浴槽水２５を強制的に追い焚きしたい場合には、追い焚きスイッチ（図示せず）を押す。
【００６２】
追い焚きスイッチが押されると、保温運転タイマーのシーケンスを通らない浴槽湯温制御手段４２の制御シーケンスに入り、浴槽循環ポンプ１７が駆動し、浴槽接続アダプター２６、戻り管２４、浴槽循環ポンプ１７、水熱交換器１０、往き管２３の経路で浴槽水２５を循環させる。この時、浴槽水温センサー４０で浴槽水温ＴＢ１を検出する。
【００６３】
次に、浴槽水目標湯温ＴＢＡと現在の浴槽水温ＴＢ１を比較し、浴槽水温ＴＢ１が目標湯温ＴＢＡより低ければ貯湯タンク７の第１残湯センサー１９、第２残湯センサー２０で貯湯タンク７の湯温を検出する。それぞれ検出した湯温をＴＨ２、ＴＨ３とし、ＴＨ２，ＴＨ３が追い焚き湯温ＴＢＢ以上あるか比較する。検出湯温ＴＨ２が目標追い焚き湯温ＴＢＢ以上あれば、次に検出湯温ＴＨ３とＴＢＢを比較して三方弁１１の方向を決める。ＴＨ３がＴＢＢよりも低ければ３方弁１１は沸き上げ側すなわち貯湯タンク７上部側に開となり、逆にＴＨ３がＴＢＢよりも高ければバイパス回路１３側に開となる。
【００６４】
次に、沸き上げポンプ１２が駆動する。沸き上げポンプ１２駆動により貯湯タンク７上部部の湯は三方弁１１から水熱交換器１０へ入る。水熱交換器１０で、浴槽循環ポンプ１７で送られた浴槽水２５と熱交換し、温度低下して、四方弁９、沸き上げポンプ１２、再度、四方弁９を通り、貯湯タンク７内へ戻る。
【００６５】
この時、浴槽循環ポンプ１７で水熱交換器１０へ送られた浴槽水２５は温度上昇して往き管２３から浴槽接続アダプター２６を介して浴槽１６へ戻る。
【００６６】
また、前記第２残湯センサー検知温度ＴＨ３が追い焚き湯温ＴＢＢよりも高ければ三方弁１１がバイパス回路１３側に開となり、貯湯タンク７の湯の取り出しがバイパス回路１３を通り（図中斜線矢印）、三方弁１１から水熱交換器１０へ入る回路となる。
【００６７】
上記の循環を繰り返し、浴槽水温ＴＢ１が目標湯温ＴＢＡになれば、沸き上げポンプ１２、浴槽循環ポンプ１７が停止し、追い焚き運転が終了する。
【００６８】
また、前記第２残湯センサー検知温度ＴＨ３が追い焚き湯温ＴＢＢよりも低い場合は、追い焚き運転を終了し、貯湯タンク７の沸き上げ運転に入る。
【００６９】
次に、廃熱回収制御手段４３について説明する。
【００７０】
図２（ｃ）において、廃熱回収制御手段４３は、浴槽１６の残り湯の熱を貯湯タンク７へ回収する制御手段であり、使用者が浴槽１６を使い終わると、風呂廃熱回収スイッチ（図示せず）を押す。
【００７１】
風呂廃熱回収スイッチ（図示せず）が押されると、四方弁９は追い焚き側、三方弁１１がバイパス側に駆動し、貯湯タンク７の水の流れおよび浴槽水２５の流れは図１で示す点線矢印の方向になる。
【００７２】
次に、浴槽循環ポンプ１７が駆動し、浴槽接続アダプター２６、戻り管２４、浴槽循環ポンプ１７、水熱交換器１０、往き管２３の経路で浴槽水２５を循環させる。この時、浴槽水温センサー４０で浴槽水温ＴＢ１を検出する。
【００７３】
次に、貯湯タンク７の第３残湯センサーにより貯湯タンク７下部の水温ＴＨ４を検出する。先に検出した浴槽水温ＴＢ１と水温ＴＨ４を比較して、浴槽水温ＴＢ１が水温ＴＨ４よりも高ければ、沸き上げポンプ１２を駆動させる。沸き上げポンプ１２駆動により貯湯タンク７下部の水は四方弁９、沸き上げポンプ１２、再度、四方弁９を通り、水熱交換器１０へ入る。水熱交換器１０で、浴槽循環ポンプ１７で送られた浴槽水２５と熱交換し、昇温して３方弁１１、バイパス回路１３から貯湯タンク７内へ戻る。
【００７４】
この時、浴槽循環ポンプ１７で水熱交換器１０へ送られた浴槽水２５は温度低下して往き管２３から浴槽接続アダプター２６を介して浴槽１６へ戻る。
【００７５】
上記の循環を繰り返し、浴槽水温ＴＢ１が貯湯タンク水温ＴＨ４よりも低くなれば、沸き上げポンプ１２、浴槽循環ポンプ１７が停止し、風呂廃熱回収運転が終了する。
【００７６】
【発明の効果】
以上のように本発明によれば、４方弁で沸き上げポンプの循環方向を、貯湯タンク上部より湯を取り出し水熱交換器に湯を流入させる方向と、貯湯タンク下部より水を取り出し水熱交換器を介して貯湯タンク上部へ流入させる方向の２方向の切り換えを行うことにより、１つの温水経路で、貯湯タンクの上部から順次温水を貯める積層沸き上げ運転と、貯湯した温水を上部より取り出し水熱交換器による浴槽の追い焚き運転ができるので、貯湯タンクの温度成層を崩すことが少なく、浴槽の追い焚きによる貯湯タンクの湯温低下を抑え、シャワーや浴槽への湯張りの湯温が確保できる。
【図面の簡単な説明】
【図１】本発明の実施例１における温水器の構成図
【図２】同温水器の制御フローチャート
【図３】従来の温水器の構成図
【符号の説明】
７  貯湯タンク
８  ヒーター
９  四方弁
１０  水熱交換器
１１  三方弁
１２  沸き上げポンプ
１３ａ  連通路
１３ｂ  バイパス回路
１５  加熱制御手段
１６  浴槽
１７  浴槽水循環ポンプ
２３  往き管（浴槽水循環回路）
２４  戻り管（浴槽水循環回路）
【図１】
2004257692.tif 000003
【図２】
2004257692.tif 000004
【図３】
2004257692.tif 000005